(57)【要約】【課題】作業指示の変更を待つことなく、作業者自身が作業指示の編集を行うことができる組立作業支援システムを得る。【解決手段】組立作業支援システム１００は、組立作業支援端末１３０と、組立作業の対象である製品の図面データ、図面に関連する作業項目、作業項目に対応するシンボルを作業工程に対応させるシンボル情報、および作業項目の作業の完了状態に対応する、シンボルの消込状態を保持し、操作入力がシンボル情報の編集操作である場合は、組立作業支援端末１３０からシンボル情報の編集要求を受け付けて、編集要求に基づいてシンボル情報を更新し、操作入力がシンボルの消込操作である場合は、組立作業支援端末１３０からシンボルの消込要求を受け付けて、消込要求に基づいて消込状態を更新して、図面データ、作業項目、シンボル情報および消込状態から組立作業図面を生成する組立作業図面操作部１１５ａとを備えた。【選択図】図１
2016201101.tif 000002
【特許請求の範囲】
【請求項１】
１または複数の作業項目から構成される作業工程を複数含む組立作業を示す組立作業図面を表示する表示部、および前記組立作業図面に対する操作入力を受け付ける入力部を有する組立作業支援端末と、
前記組立作業の対象である製品の図面のデータである図面データ、前記図面に関連する作業項目、前記作業項目に対応するシンボルを前記作業工程に対応させるシンボル情報、および前記作業項目の作業の完了状態に対応する、前記シンボルの消込状態を保持し、前記操作入力が前記シンボル情報の編集操作である場合は、前記組立作業支援端末から前記シンボル情報の編集要求を受け付けて、前記編集要求に基づいて前記シンボル情報を更新し、前記操作入力が前記シンボルの消込操作である場合は、前記組立作業支援端末から前記シンボルの消込要求を受け付けて、前記消込要求に基づいて前記消込状態を更新して、前記図面データ、前記作業項目、前記シンボル情報および前記消込状態から前記組立作業図面を生成する組立作業図面操作部と
を備えたことを特徴とする組立作業支援システム。
【請求項２】
前記図面データおよび前記図面に関連する前記作業項目を記憶する図面管理サーバと、
前記図面に関連する前記作業項目に対応する前記シンボルを前記作業工程に対応させる前記シンボル情報を前記図面に対応させて記憶するチェック項目マスタデータベースと、
前記図面に関連する前記作業項目に対応する前記シンボルを前記作業工程に対応させる前記シンボル情報を前記図面に対応させて前記チェック項目マスタデータベースに記憶させるマスタ登録部と、
前記図面データおよび前記図面に関連する前記作業項目を前記図面管理サーバから取得し、前記作業項目に対応する前記シンボルを前記作業工程に対応させる前記シンボル情報を前記チェック項目マスタデータベースから取得して、前記図面データ、前記作業項目および前記シンボル情報から前記組立作業図面を生成し、この組立作業図面を前記組立作業図面操作部に送る組立作業図面生成部と
を備えたことを特徴とする請求項１に記載の組立作業支援システム。
【請求項３】
前記図面データおよび前記図面に関連する前記作業項目を記憶する図面管理サーバと、
工事案件に関連する前記作業項目に対応する前記シンボルを前記作業工程に対応させる前記シンボル情報および前記シンボルの前記消込状態を前記工事案件に対応させて記憶する作業結果データベースと、
前記工事案件に関連する前記作業項目に対応する前記シンボルを前記作業工程に対応させる前記シンボル情報および前記シンボルの前記消込状態を前記工事案件に対応させて前記作業結果データベースに記憶させる作業結果登録部と、
前記工事案件に関連する図面の前記図面データおよび前記工事案件に関連する図面に関連する前記作業項目を前記図面管理サーバから取得し、前記作業項目に対応する前記シンボルを前記作業工程に対応させる前記シンボル情報および前記シンボルの前記消込状態を前記作業結果データベースから取得して、前記図面データ、前記作業項目、前記シンボル情報および前記消込状態から前記組立作業図面を生成し、この組立作業図面を前記組立作業図面操作部に送る組立作業図面生成部と
を備えたことを特徴とする請求項１に記載の組立作業支援システム。
【請求項４】
前記組立作業図面操作部は、前記図面に関連する前記作業項目の具体的な作業手順が記載された作業手順書のデータである作業手順書データを前記組立作業図面と組み合わせて、前記組立作業図面とともに前記作業手順書を前記表示部に表示させることを特徴とする請求項１から３のいずれか１項に記載の組立作業支援システム。
【請求項５】
前記組立作業図面操作部は、前記作業手順書の指定された領域を参照先とするリンク先情報を有する前記シンボルが指定されると、該指定された前記シンボルの前記リンク先情報の参照先の領域を前記組立作業図面とともに前記表示部に表示させることを特徴とする請求項４に記載の組立作業支援システム。
【請求項６】
前記組立作業図面操作部は、前記シンボル情報の前記編集操作時において表示されている前記作業手順書の領域を参照先とする前記リンク先情報を前記編集操作の対象となっている前記シンボルに付加することを特徴とする請求項５に記載の組立作業支援システム。
【請求項７】
前記組立作業図面操作部は、前記消込操作の対象となっている前記リンク先情報を有する前記シンボルの前記リンク先情報を更新して、前記消込操作時において表示されている前記作業手順書の領域を前記消込操作の対象となっている前記シンボルの前記リンク先情報の参照先とすることを特徴とする請求項５または６に記載の組立作業支援システム。
【請求項８】
前記作業項目の具体的な作業手順が記載された作業手順書のデータである作業手順書データを記憶する作業手順書データベースを備え、前記組立作業図面生成部は、前記作業手順書データベースから前記作業手順書データを取得して前記作業手順書データと前記組立作業図面とを組み合わせ、前記作業手順書が組み合わされた前記組立作業図面を前記組立作業図面操作部に送ることを特徴とする請求項２に記載の組立作業支援システム。
【請求項９】
前記チェック項目マスタデータベースは、前記作業手順書の指定された領域を参照先とするリンク先情報を有する前記シンボルの前記リンク先情報を前記図面に対応させて記憶し、前記マスタ登録部は、前記リンク先情報を前記図面に対応させて前記チェック項目マスタデータベースに記憶させ、前記組立作業図面生成部は、前記チェック項目マスタデータベースから前記リンク先情報を取得して、前記作業手順書が組み合わされた前記組立作業図面とともに前記リンク先情報を前記組立作業図面操作部に送ることを特徴とする請求項８に記載の組立作業支援システム。
【請求項１０】
前記作業項目の具体的な作業手順が記載された作業手順書のデータである作業手順書データを記憶する作業手順書データベースを備え、前記組立作業図面生成部は、前記作業手順書データベースから前記作業手順書データを取得して前記作業手順書データと前記組立作業図面とを組み合わせ、前記作業手順書が組み合わされた前記組立作業図面を前記組立作業図面操作部に送ることを特徴とする請求項３に記載の組立作業支援システム。
【請求項１１】
前記作業結果データベースは、前記作業手順書の指定された領域を参照先とするリンク先情報を有する前記シンボルの前記リンク先情報を前記工事案件に対応させて記憶し、前記作業結果登録部は、前記リンク先情報を前記工事案件に対応させて前記作業結果データベースに記憶させ、前記組立作業図面生成部は、前記作業結果データベースから前記リンク先情報を取得して、前記作業手順書が組み合わされた前記組立作業図面とともに前記リンク先情報を前記組立作業図面操作部に送ることを特徴とする請求項１０に記載の組立作業支援システム。
【発明の詳細な説明】
【技術分野】
【０００１】
この発明は、制御機器等の組立作業支援システムに関するものである。
【背景技術】
【０００２】
従来、組立作業において、複数の作業者が、画面上に表示された作業指示に従って作業していた。作業指示は、複数の作業項目を順にそれぞれをどの作業者が作業すればよいかを示したものである。作業指示は、作業管理者が予め作成し、その変更も行い、作業者は、作業指示中の作業済みの作業項目を、作業済みとマークすることで組立作業の進捗を管理していた。
作業者に作業指示を提示する組立作業支援システムとしては、作業対象となる製品のイメージ画像上に各部品の実装位置と部品データとを表示して、作業者に作業指示を提供するものがあった（例えば、特許文献１参照）。
【先行技術文献】
【特許文献】
【０００３】
【特許文献１】特開２００３−７８２８３号公報（図２）
【発明の概要】
【発明が解決しようとする課題】
【０００４】
しかしながら、上記のようなものでは、作業者は、作業管理者によって予め決められた作業指示に従って作業を行うのみであった。しかし、作業指示を決定する際の前提となる条件の変更、例えば図面の改定や代替部品の適用などが作業現場で判明することがある。このような場合、作業管理者によって予め決められた作業指示どおりには組立作業を実施することができず、作業指示の変更が必要となる。このため、作業管理者によって新たな作業指示が提示されるまで組立作業に着手することができずに手待ち時間が発生し、作業効率が低下するという問題点があった。
【０００５】
この発明は、上記のような課題を解決するためになされたもので、作業管理者による作業指示の変更を待つことなく、作業者自身が作業指示の編集を行うことができる組立作業支援システムを得るものである。
【課題を解決するための手段】
【０００６】
この発明に係る組立作業支援システムは、１または複数の作業項目から構成される作業工程を複数含む組立作業を示す組立作業図面を表示する表示部、および組立作業図面に対する操作入力を受け付ける入力部を有する組立作業支援端末と、組立作業の対象である製品の図面のデータである図面データ、図面に関連する作業項目、作業項目に対応するシンボルを作業工程に対応させるシンボル情報、および作業項目の作業の完了状態に対応する、シンボルの消込状態を保持し、操作入力がシンボル情報の編集操作である場合は、組立作業支援端末からシンボル情報の編集要求を受け付けて、編集要求に基づいてシンボル情報を更新し、操作入力がシンボルの消込操作である場合は、組立作業支援端末からシンボルの消込要求を受け付けて、消込要求に基づいて消込状態を更新して、図面データ、作業項目、シンボル情報および消込状態から組立作業図面を生成する組立作業図面操作部とを備えたものである。
【発明の効果】
【０００７】
この発明に係る組立作業支援システムによれば、作業者自身が組立作業の対象である製品の図面に関連する作業項目に対応するシンボルを作業工程に対応させるシンボル情報を編集することを通じて作業指示を編集できるので、作業指示の変更が必要な場合でも、手待ち時間を発生させることなく組立作業に着手することが可能となり、作業効率の向上を図ることができる。
【図面の簡単な説明】
【０００８】
【図１】この発明の実施の形態１における組立作業支援システムの概略を示す構成図である。
【図２】この発明の実施の形態１における組立作業支援システムのログイン画面の表示例を示す図である。
【図３】この発明の実施の形態１における組立作業支援システムのメイン画面の表示例を示す図である。
【図４】この発明の実施の形態１における組立作業システムの動作を示すフローチャートである。
【図５】この発明の実施の形態１における組立作業支援システムの操作例を示す図である。
【図６】この発明の実施の形態２における組立作業支援システムの操作例を示す図である。
【図７】この発明の実施の形態３における組立作業支援システムの操作例を示す図である。
【図８】この発明の実施の形態４における組立作業支援システムの概略を示す構成図である。
【図９Ａ】この発明の実施の形態４における組立作業支援システムのメイン画面の表示例を示す図である。
【図９Ｂ】この発明の実施の形態４における組立作業支援システムのメイン画面の表示例を示す図である。
【図１０】この発明の実施の形態４におけるリンク付きシンボルのリンク機能を説明するフローチャートである。
【図１１】この発明の実施の形態４における組立作業支援システムの動作を示すフローチャートである。
【図１２】この発明の実施の形態５における組立作業支援システムの操作例を示す図である。
【発明を実施するための形態】
【０００９】
実施の形態１．
以下に、本発明の実施の形態１を図１から図５に基づいて説明する。
組立作業支援システム１００は、図１に示すように組立作業支援サーバ１１０と、組立作業の対象となる製品の図面のデータである図面データを、図面の図番に対応させて記憶する図面データベース（以下、図面ＤＢ）１２１を有する図面管理サーバ１２０と、作業者の入力操作を受付ける入力部１３２、ログイン画面とメイン画面とを表示する表示部１３３、および組立作業支援サーバ１１０との通信を行う送受信部１３１を有する組立作業支援端末１３０とを備えている。図面管理サーバ１２０および組立作業支援端末１３０は、それぞれイントラネットやインターネットなどのネットワークを介して組立作業支援サーバ１１０と接続されている。なお、図面ＤＢ１２１に記憶されている図面データは、図面に関連する作業項目も含んでいる。
【００１０】
ユーザである作業者が組立作業支援システム１００を起動すると、図２（ａ）に示すログイン画面１０が表示部１３３に表示されるので、工事番号入力部１１、作業者ＩＤ入力部１２、作業工程入力部１３、および図番入力部１４に作業情報を入力し、ＯＫボタン１５を押下することで図３に示すメイン画面２０を開く。なお、作業情報とは、組立作業の対象の工事案件に割り当てられている工事番号、組立作業を行う作業者の作業者ＩＤ（自分の作業者ＩＤ）、組立作業に含まれる作業工程のうち、自分が担当する作業工程、および組立作業の対象となる製品の図面の図番である。また、作業工程入力部１３はドロップダウンリストとなっており、図２（ｂ）に示すように作業工程の一覧から作業対象とする作業工程を選択するようになっている。
【００１１】
メイン画面２０は、図３に示すようにマスタ登録ボタン２１ａおよび終了ボタン２１ｂを有するツールバー部２１と、組立作業図面を表示する組立作業図面表示部２２と、組立作業図面表示部２２を拡大表示する組立作業図面拡大表示部２３と、ヘッダ部２４とを備えている。
【００１２】
組立作業図面表示部２２には、ログイン画面１０で入力した図番に対応する図面２２ａと、この図面２２ａに関連する全ての作業項目群２２ｂが表示される。組立作業図面拡大表示部２３には、組立作業図面表示部２２において指定された範囲を拡大表示するものであり、図３ではＡ部の作業項目群２２ｂが拡大表示されている。ヘッダ部２４には、ログイン画面１０で入力した作業情報の工事番号および作業工程が表示されている。
【００１３】
組立作業は、１または複数の作業項目から構成される作業工程を複数含んでいる。本発明においては、作業工程に対応するシンボルを組立作業図面上の作業項目に配置して作業項目を作業工程に対応させることにより、当該作業項目の作業が、当該作業項目に配置されたシンボルと対応する作業工程において行われることを示す作業指示を構成する。
シンボルの位置やサイズ、対応する作業工程は、シンボル情報として保持されている。
図面の改定や代替部品の適用などが作業現場で判明した場合、シンボル情報の編集が行われる。シンボル情報の編集とは、新たなシンボルの追加、既存のシンボルの削除や変更（対応する作業工程の変更など）である。また、シンボルは、その消込状態が作業の完了状態に対応しており、消込状態が未消込の場合は作業未完了、消込状態が消込済の場合は作業完了済であることを示す。
【００１４】
シンボルは、対応する作業工程に応じた形状で表示される。図３ではシンボル２３ｂ１、２３ｃ１のような丸印のシンボルが第１組立工程に対応し、シンボル２３ｂ２のような三角印のシンボルが第２組立工程に対応している。また、消込状態が未消込のシンボルは白抜きシンボルで表示され、消込状態が消込済のシンボルは塗りシンボルで表示される。図３では白抜きシンボル２３ｂ１、２３ｂ２が作業未完了を表し、塗りシンボル２３ｃ１が作業完了済を表している。
作業者は、各作業項目２３ａに配置されたシンボル２３ｂ１、２３ｂ２、２３ｃ１を確認し、作業項目２３ａに自分が担当する作業工程に対応する形状を持つシンボルが配置されている場合、当該シンボルが白抜きシンボルであれば当該作業を実施し、作業が完了したらシンボルの消込操作を行う。消込操作が行われると白抜きシンボルは塗りシンボルに表示が変更される。ここでは、作業者が担当する作業工程は第１組立工程であるので、作業者は、丸印の白抜きシンボル２３ｂ１が配置されている、３番目の作業項目２３ａの作業を実施し、作業が完了したらこの白抜きシンボル２３ｂ１の消込操作を行う。消込操作が行われると、白抜きシンボル２３ｂ１は塗りシンボルに表示が変更される。
【００１５】
組立作業支援サーバ１１０は、作業情報取込部１１３と、組立作業図面生成部１１４と、ユーザインターフェース部（以下、ユーザＩ／Ｆ部）１１５と、組立作業の対象となる製品の図面の図番ごとにシンボル情報をまとめたチェック項目データを図番に対応させて記憶するチェック項目マスタデータベース（以下、チェック項目マスタＤＢ）１１１と、工事案件の工事番号ごとにシンボル情報およびシンボルの消込状態をまとめたチェック結果データを工事番号に対応させて記憶する作業結果データベース（以下、作業結果ＤＢ）１１２とを備えている。
【００１６】
作業情報取込部１１３は、組立作業支援端末１３０から取り込んだ作業情報に基づいて、シンボル情報の編集権限およびシンボルの消込権限を作業者に付与する。
【００１７】
組立作業図面生成部１１４は、図面管理サーバ１２０から取得した図面データと、シンボル情報およびシンボルの消込状態とを合成して、図面および図面と共に記載された作業項目とシンボルとを組み合わせた組立作業図面を生成する。
【００１８】
ユーザＩ／Ｆ部１１５は、組立作業支援端末１３０からの編集要求および消込要求に基づいて組立作業図面上のシンボルの追加や消込を行って組立作業図面を更新する組立作業図面操作部１１５ａと、マスタ登録要求に基づいて図面ごとにシンボル情報をまとめたチェック項目データをチェック項目マスタＤＢ１１１に登録するマスタ登録部１１５ｂと、終了要求に基づいて工事案件ごとにシンボル情報およびシンボルの消込状態をまとめたチェック結果データを作業結果ＤＢ１１２に登録する作業結果登録部１１５ｃとを備えている。ユーザＩ／Ｆ部１１５は、組立作業支援端末１３０から編集要求、消込要求などの操作要求を受信し、また、組立作業図面操作部１１５ａが更新した組立作業図面を組立作業支援端末１３０に送信する。
【００１９】
チェック項目マスタＤＢ１１１は、チェック項目データを図面の図番に対応させて記憶している。作業結果ＤＢ１１２は、チェック結果データを工事案件の工事番号に対応させて記憶している。
【００２０】
組立作業支援端末１３０は、パソコン、タブレット端末等であり、入力部１３２はマウス、キーボード、バーコードリーダー、タッチパネル等から構成される。表示部１３３はディスプレイ等で構成される。
【００２１】
次に、図４に基づいて動作について説明する。まず、ユーザである作業者がシステムを起動すると、表示部１３３はログイン画面１０を表示する（ＳＴ０１）。
【００２２】
続いて、作業者は、入力部１３２を介してログイン画面１０の工事番号入力部１１に組立作業の対象の工事案件の工事番号を、作業者ＩＤ入力部１２に自分の作業者ＩＤを、作業工程入力部１３に自分が担当する作業工程を、図番入力部１４に組立作業の対象となる製品の図面の図番をそれぞれ入力し、ＯＫボタン１５を押下する（ＳＴ０２）。ここで作業者が入力した情報は、作業情報として送受信部１３１により作業情報取込部１１３に送信される。
【００２３】
作業情報取込部１１３は、組立作業支援端末１３０から送られた作業情報を受信して問題が無いか入力チェックを行う。入力チェックは、受信した作業情報の工事番号、作業者ＩＤ、図番が存在するか、作業情報の作業者ＩＤを持つ作業者が、作業情報の工事番号、作業工程、図番に対するアクセス権を有するかなどである。問題がある場合は、組立作業支援端末１３０にエラー内容を送信し処理を終了する。問題が無い場合は、作業情報に基づいて作業者にシンボル情報の編集権限およびシンボルの消込権限を付与し（ＳＴ０３）、シンボル情報の編集権限およびシンボルの消込権限からなる権限情報および作業情報を組立作業図面生成部１１４へ送る。なお、ここでは消込権限として、作業情報の作業工程と、消込操作の対象となるシンボルが持つシンボル情報の作業工程が一致する場合は、消込可能、一致しない場合は消込不可と設定する。
【００２４】
組立作業図面生成部１１４は、図面管理サーバ１２０に対して作業情報の図番に対応する図面データをリクエストし、図面データを取得する（ＳＴ０４）。
【００２５】
組立作業図面生成部１１４は、作業結果ＤＢ１１２に対して、作業情報の工事番号に対応するチェック結果データがあるかチェックする（ＳＴ０５）。対応するチェック結果データがある場合はＳＴ０６へ、無い場合はＳＴ０８へ進む。
【００２６】
ＳＴ０５で、対応するチェック結果データがある場合、組立作業図面生成部１１４は、作業結果ＤＢ１１２に対して作業情報の工事番号に対応するチェック結果データをリクエストし、チェック結果データを取得する（ＳＴ０６）。
【００２７】
組立作業図面生成部１１４は、ＳＴ０４で取得した図面データおよびこの図面データに含まれる作業項目と、ＳＴ０６で取得したチェック結果データが持つシンボル情報およびシンボルの消込状態とを合成し、組立作業図面を生成する（ＳＴ０７）。組立作業図面の生成においては、チェック結果データが持つシンボル情報およびシンボルの消込状態に対応する表示態様のシンボルを、シンボル情報の位置情報に従って配置する。ここでは、シンボルの表示態様として、シンボル情報の作業工程が第１組立工程であるシンボルは丸印のシンボルとし、シンボル情報の作業工程が第２組立工程であるシンボルは三角印のシンボルとしている。また、消込状態が未消込であるシンボルは白抜きシンボルとし、消込状態が消込済であるシンボルは塗りシンボルとしている。組立作業図面を生成後、ＳＴ１１へ進む。
【００２８】
ＳＴ０５で、対応するチェック結果データが無い場合、組立作業図面生成部１１４は、チェック項目マスタＤＢ１１１に対して作業情報の図番に対応するチェック項目データがあるかチェックする（ＳＴ０８）。対応するチェック項目データがある場合はＳＴ０９へ、無い場合はＳＴ０４で取得した図面データをそのまま組立作業図面として、ＳＴ１１へ進む。
【００２９】
ＳＴ０８で、対応するチェック項目データがある場合、組立作業図面生成部１１４は、チェック項目マスタＤＢ１１１に対して作業情報の図番に対応するチェック項目データをリクエストし、チェック項目データを取得する（ＳＴ０９）。
【００３０】
組立作業図面生成部１１４は、ＳＴ０４で取得した図面データおよびこの図面データに含まれる作業項目と、ＳＴ０９で取得したチェック項目データが持つシンボル情報とを合成し、組立作業図面を生成する（ＳＴ１０）。組立作業図面の生成においては、チェック項目データが持つシンボル情報に対応する表示態様のシンボルを、シンボル情報の位置情報に対応する位置に配置する。なお、チェック項目データはシンボルの消込状態に関する情報を有していないため、全てのシンボルについて消込状態は未消込として扱い、表示は白抜きシンボルとする。組立作業図面を生成後、ＳＴ１１へ進む。
【００３１】
組立作業図面生成部１１４は、生成した組立作業図面よりメイン画面２０を作成し、組立作業支援端末１３０の送受信部１３１に送信する。送受信部１３１は受信したメイン画面を表示部１３３に送り、表示部１３３はメイン画面２０を表示する。また、組立作業図面生成部１１４は、組立作業図面、作業情報、権限情報をユーザＩ／Ｆ部１１５へ送る（ＳＴ１１）。
【００３２】
続いて、作業者は、表示部１３３に表示されたメイン画面２０を見ながら、入力部１３２によって組立作業図面に対する操作入力を行う（ＳＴ１２）。本実施の形態では、シンボル情報の編集操作の例として、シンボルの追加操作を行う。この場合、操作入力は、シンボルの追加操作、シンボルの消込操作、マスタ登録操作および終了操作である。
【００３３】
シンボルの追加操作は、組立作業図面表示部２２または組立作業図面拡大表示部２３の任意の位置を指定することで行う。シンボルの消込操作は、組立作業図面表示部２２または組立作業図面拡大表示部２３に表示されている任意の白抜きシンボルを指定することで行う。マスタ登録操作は、マスタ登録ボタン２１aを押下することで行う。終了操作は、終了ボタン２１ｂを押下することで行う。
送受信部１３１は、入力部１３２が受け付けた上記操作入力を取得して、操作入力の内容に応じた操作要求をユーザＩ／Ｆ部１１５に送信する。具体的には、操作入力としてシンボル情報の編集操作、ここではシンボルの追加操作を取得した場合はシンボル情報の編集要求、追加要求を送信する。シンボルの消込操作を取得した場合は消込要求を送信する。マスタ登録操作を取得した場合はマスタ登録要求を送信する。終了操作を取得した場合は終了要求を送信する。
【００３４】
ユーザＩ／Ｆ部１１５は、送受信部１３１から受信した操作要求から、作業者の操作入力がシンボルの追加操作であるかを判定する（ＳＴ１３）。送受信部１３１から受信した要求が追加要求であれば、シンボルの追加操作であると判定しＳＴ１４へ進む。送受信部１３１から受信した要求が追加要求でなければシンボルの追加操作でないと判定しＳＴ１５へ進む。
【００３５】
ＳＴ１３でユーザＩ／Ｆ部１１５が操作入力をシンボルの追加操作と判定した場合、組立作業図面操作部１１５ａは、ＳＴ１１で組立作業図面生成部１１４から取得した権限情報に基づき、シンボルの追加操作を行った作業者が、作業情報の作業工程に対応するシンボルを追加する権限を有しているかをチェックする。シンボルを追加する権限を有していない場合は、シンボルを追加する権限が無い旨を示すエラーメッセージを返し、シンボルの追加は行わない。シンボルを追加する権限を有している場合は、指定された位置にシンボルを追加するように組立作業図面表示部２２の組立作業図面を構成するシンボル情報を更新し、更新後のシンボル情報に基づいて、シンボルが追加された組立作業図面を生成する（ＳＴ１４）。追加されたシンボルは作業情報の作業工程に対応し、消込状態は未消込である。例えば、図３の場合、作業情報の作業工程が第１組立工程であるので、丸印の白抜きシンボル２３ｂ１を指定された位置に配置する。
【００３６】
ユーザＩ／Ｆ部１１５は、送受信部１３１から受信した操作要求から、作業者の操作入力がシンボルの消込操作であるかを判定する（ＳＴ１５）。送受信部１３１から受信した要求が消込要求であれば、シンボルの消込操作であると判定しＳＴ１６へ進む。送受信部１３１から受信した要求が消込要求でなければシンボルの消込操作でないと判定しＳＴ１７へ進む。
【００３７】
ＳＴ１５でユーザＩ／Ｆ部１１５が操作入力をシンボルの消込操作と判定した場合、組立作業図面操作部１１５ａは、消込の対象となったシンボルが対応する作業工程と、ＳＴ１１で組立作業図面生成部１１４から取得した作業情報の作業工程とが一致するかをチェックする。一致しない場合はＳＴ１１で組立作業図面生成部１１４から取得した権限情報に従って、作業工程が異なる旨を示すエラーメッセージを返し、シンボルの消込は行わない。一致する場合は、指定されたシンボルの消込状態を未消込から消込済に更新し、更新後の消込状態に基づいて消込操作が行われたシンボルの表示が白抜きシンボルから塗りシンボルに変更された組立作業図面を生成する（ＳＴ１６）。図３の場合、作業情報の作業工程が第１組立工程であるので、丸印の白抜きシンボル２３ｂ１に対して消込操作が行われると、指定された丸印の白抜きシンボル２３ｂ１を丸印の塗りシンボル２３ｃ１に変更する。三角印の白抜きシンボル２３ｂ２に対して消込操作が行われた場合、指定されたシンボルが対応する作業工程は作業情報の作業工程と異なるため、消込状態の更新を行わずにエラーメッセージを返す。
【００３８】
ユーザＩ／Ｆ部１１５は、送受信部１３１から受信した操作要求から、作業者の操作入力がマスタ登録操作であるかを判定する（ＳＴ１７）。送受信部１３１から受信した要求がマスタ登録要求であれば、マスタ登録操作であると判定しＳＴ１８へ進む。送受信部１３１から受信した要求がマスタ登録要求でなければシンボルの追加操作でないと判定しＳＴ１９へ進む。
【００３９】
ＳＴ１７でユーザＩ／Ｆ部１１５が操作入力をマスタ登録操作と判定した場合、マスタ登録部１１５ｂは、メイン画面２０に表示されているシンボルのうち、作業情報の作業工程に対応する全てのシンボルについて、そのシンボル情報をチェック項目データとしてまとめ、例えばデータ名に図番を含めるなどして、作業情報の図番の図面に対応させてチェック項目マスタＤＢ１１１に記憶させる（ＳＴ１８）。図３の場合、作業情報の作業工程が第１組立工程であるので、丸印のシンボル２３ｃ１、２３ｂ１のシンボル情報をチェック項目データとしてまとめ、チェック項目マスタＤＢ１１１に記憶させる。
【００４０】
ユーザＩ／Ｆ部１１５は、送受信部１３１から受信した操作要求から、作業者の操作入力が終了操作であるかを判定する（ＳＴ１９）。送受信部１３１から受信した要求が終了要求であれば、終了操作であると判定しＳＴ２０へ進む。送受信部１３１から受信した要求が終了要求でなければ終了操作でないと判定しＳＴ１２へ戻る。
【００４１】
ＳＴ１９でユーザＩ／Ｆ部１１５が操作入力を終了操作と判定した場合、作業結果登録部１１５ｃは、メイン画面２０に表示されているシンボルのうち、作業情報の作業工程に対応する全てのシンボルについて、そのシンボル情報および消込状態をチェック結果データとしてまとめ、例えばデータ名に工事番号を含めるなどして、作業情報の工事番号の工事案件に対応させて作業結果ＤＢ１１２に記憶させる（ＳＴ２０）。図３の場合、作業情報の作業工程が第１組立工程であるので、丸印のシンボル２３ｃ１、２３ｂ１のシンボル情報および消込状態をチェック結果データとしてまとめ、作業結果ＤＢ１１２に記憶させる。
組立作業支援システム１００は、作業結果登録部１１５ｃがチェック結果データを作業結果ＤＢ１１２に記憶させた後、システムの終了処理を行う。
【００４２】
次に、本発明の実施の形態１における組立作業支援システム１００の操作例について、図５に基づいて説明する。ここでは、新規の工事案件（工事番号Ａ７８９）において、新しい機種製品の図面（図番Ｌ４７８６）に基づいて組立作業を行うことを前提としている。すなわち、組立作業開始時に、対応するチェック結果データもチェック項目データも存在しないとしている。作業項目２３ａは４つあり、そのうち１番目から３番目の作業項目２３ａを第１組立工程で実施し、４番目の作業項目２３ａを第２組立工程で実施することで完成とする。また、作業者は、第１の作業者および第２の作業者がおり、第１の作業者は第１組立工程を担当し、第２の作業者は第２組立工程を担当する。
【００４３】
まず、第１の作業者が組立作業支援システム１００にログインすると、メイン画面２０の組立作業図面表示部２２には図番Ｌ４７８６の図面およびこの図面に関連する作業項目が表示され、組立作業図面拡大表示部２３には、図５（ａ）に示すように４つの作業項目２３ａが表示される。第１の作業者は、シンボルの追加操作を行い、図５（ｂ）に示すように１番目から３番目の作業項目２３ａに丸印の白抜きシンボル２３ｂ１をそれぞれ配置する。
【００４４】
それぞれの作業項目の作業が完了したら、第１の作業者は、３つの丸印の白抜きシンボル２３ｂ１に対して消込操作を行い、図５（ｃ）に示すように丸印の塗りシンボル２３ｃ１に変更する。それぞれの丸印の塗りシンボル２３ｃ１は、各作業項目２３ａの作業が第１組立工程で完了したことを示すエビデンスとなる。
【００４５】
この状態で第１の作業者が組立作業支援システム１００を終了させると、作業結果登録部１１５ｃは、１番目から３番目の作業項目２３ａに配置された丸印の塗りシンボル２３ｃ１のシンボル情報および消込状態をまとめ、チェック結果データとして工事番号（Ａ７８９）に対応させて作業結果ＤＢ１１２に記憶させる。
【００４６】
なお、第１の作業者が図５（ｂ）から図５（ｃ）の間の任意のタイミングでマスタ登録操作を行った場合、マスタ登録部１１５ｂは、１番目から３番目の作業項目２３ａに配置された丸印の白抜きシンボル２３ｂ１もしくは丸印の塗りシンボル２３ｃ１のシンボル情報をチェック項目データとしてまとめ、図番（Ｌ４７８６）に対応させてチェック項目マスタＤＢ１１１に記憶させる。
【００４７】
次に、第２の作業者が組立作業支援システム１００にログインすると、組立作業図面生成部１１４は、図番Ｌ４７８６の図面データと工事番号Ａ７８９に対応するチェック結果データとを合成して組立作業図面を生成するので、メイン画面２０の組立作業図面拡大表示部２３には、図５（ｃ）に示すように表示される。第２の作業者は、１番目から３番目の作業項目２３ａに丸印の塗りシンボル２３ｃ１が配置されていることから、第１組立工程で実施すべき作業項目が全て完了していることを確認する。続いて、第２の作業者はシンボルの追加操作を行い、図５（ｄ）に示すように４番目の作業項目２３ａに三角印の白抜きシンボル２３ｂ２を配置する。作業が完了したらシンボルの消込操作を行い、図５（ｅ）に示すように、三角印の白抜きシンボル２３ｂ２を三角印の塗りシンボル２３ｃ２に変更する。三角印の塗りシンボル２３ｃ２は、４番目の作業項目２３ａの作業が第２組立工程で完了したことを示すエビデンスとなる。
【００４８】
この状態で第２の作業者が組立作業支援システム１００を終了させると、作業結果登録部１１５ｃは、４番目の作業項目２３ａに配置された三角印の塗りシンボル２３ｃ２のシンボル情報および消込状態をチェック結果データとしてまとめ、工事番号（Ａ７８９）に対応させて作業結果ＤＢ１１２に記憶させる。以上により、全ての作業項目の作業が完了したことのエビデンスが作業結果ＤＢ１１２に記憶される。
【００４９】
なお、第２の作業者が図５（ｄ）から図５（ｅ）の間の任意のタイミングでマスタ登録操作を行った場合、マスタ登録部１１５ｂは、４番目の作業項目２３ａに配置された三角印の白抜きシンボル２３ｂ２もしくは三角印の塗りシンボル２３ｃ２のシンボル情報をチェック項目データとしてまとめ、図番（Ｌ４７８６）に対応させてチェック項目マスタＤＢ１１１に記憶させる。
【００５０】
実施の形態１によれば、作業指示を構成するシンボルのシンボル情報を作業者自身が編集できるため、作業指示の変更が必要な場合でも、手待ち時間を発生させることなく組立作業に着手することが可能となり、作業効率の向上を図ることができる。
【００５１】
また、組立作業図面上で、シンボル情報および消込状態に対応した表示態様でシンボルを表示するため、作業者はシンボルが配置された作業項目に関する作業指示や作業の完了状態を容易に読み取ることができる。
【００５２】
実施の形態２．
次に、本発明の実施の形態２を図６に基づいて説明する。図６において、図５と同一または相当部分については同一符号を付し、その説明を省略する。本実施の形態では、組立作業図面操作部１１５ａが、指定されたシンボルのシンボル情報を変更する機能を有しており、シンボル情報の編集操作としてシンボルの変更操作を行う。入力部１３２がシンボルの変更操作を受け付けると、送受信部１３１は、入力部１３２から変更操作の操作入力を取得し、シンボル情報の編集要求、ここでは変更要求をユーザＩ／Ｆ部１１５に送信する。組立作業図面操作部１１５ａは、ユーザＩ／Ｆ部１１５が受信した変更要求に基づいてシンボル情報を更新し、更新後のシンボル情報に基づいて組立作業図面を生成する。
以下では、シンボルが対応する作業工程を変更する場合について説明する。
【００５３】
実施の形態２では、図６に示すように各作業項目２３ａにシンボルが配置された状態のチェック項目データが予めチェック項目マスタＤＢ１１１に記憶された状態であり、作業現場において３番目の作業項目２３ａを実施する作業工程が第１組立工程から第２組立工程に変更になった点が異なるのみで、その他の前提条件は実施の形態１で上述したものと同様である。
【００５４】
まず、第１の作業者が組立作業支援システム１００にログインすると、組立作業図面生成部１１４は、図番Ｌ４７８６の図面データと、この図番Ｌ４７８６に対応するチェック項目データとを合成して組立作業図面を生成し、メイン画面２０の組立作業図面拡大表示部２３には、図６（ａ）に示すように表示される。第１の作業者は、３番目の作業項目２３ａに配置された丸印の白抜きシンボル２３ｂ１を選択し、このシンボルが持つシンボル情報の作業工程を第１組立工程から第２組立工程に変更する入力操作を行う。この入力操作を受けた組立作業図面操作部１１５ａは、図６（ｂ）に示すように３番目の作業項目２３ａに配置されている丸印の白抜きシンボル２３ｂ１を、三角印の白抜きシンボル２３ｂ２に変更する。以降の操作は実施の形態１と同様であるので、その説明を省略する。
【００５５】
実施の形態２によれば、実施の形態１の効果に加え、指定したシンボルが対応する作業工程を変更することができるので、作業現場で担当する作業項目に変更があった場合でも、迅速に対応することができる。
【００５６】
実施の形態３．
次に、本発明の実施の形態３を図７に基づいて説明する。図７において、図６と同一または相当部分については同一符号を付し、その説明を省略する。本実施の形態では、組立作業図面操作部１１５ａが、指定されたシンボルを削除する機能を有しており、シンボル情報の編集操作としてシンボルの削除操作を行う。入力部１３２がシンボルの削除操作を受け付けると、送受信部１３１は、入力部１３２が受け付けた操作入力を取得して、シンボル情報の編集要求、ここでは削除要求をユーザＩ／Ｆ部１１５に送信する。組立作業図面操作部１１５ａは、ユーザＩ／Ｆ部１１５が受信した削除要求に基づいて指定されたシンボルを削除するようにシンボル情報を更新し、更新後のシンボル情報に基づいて、指定されたシンボルが削除された組立作業図面を生成する。
【００５７】
実施の形態３は、図７に示すように。実施の形態１で説明した操作例（図５（ｅ）の状態のチェック項目データをチェック項目マスタＤＢ１１１に記憶させているとする）の後に、同じ図面（図番Ｌ４７８６）を用いて組立作業を行う新規の工事案件（工事番号Ａ８８９）が開始された場合を前提としている。また、図番Ｌ４７８６の図面は改定されており、改定に伴い、図７に示すように２番目の作業項目２３ａが削除され、代わりに５番目の作業項目２３ａが追加されている。なお、その他の前提条件は実施の形態１で上述したものと同様である。
【００５８】
まず、第１の作業者が組立作業支援システム１００にログインすると、組立作業図面生成部１１４は、図番Ｌ４７８６の図面データと、この図番Ｌ４７８６に対応するチェック項目データとを合成して組立作業図面を生成し、メイン画面２０の組立作業図面拡大表示部２３には、図７（ａ）に示す状態で表示される。第１の作業者は、削除されている２番目の作業項目２３ａに配置された丸印の白抜きシンボル２３ｂ１を選択してこのシンボルを削除する入力操作を行い、５番目の作業項目２３ａにシンボルを追加する入力操作を行う。これらの入力操作を受けた組立作業図面操作部１１５ａは、図７（ｂ）に示すように２番目の作業項目２３ａに配置されていた丸印の白抜きシンボル２３ｂ１を消去し、５番目の作業項目２３ａに丸印の白抜きシンボル２３ｂ１を配置する。以降の操作は実施の形態１と同様であるので、その説明を省略する。
【００５９】
なお、図７（ｂ）の状態でマスタ登録操作を行うと、マスタ登録部１１５ｂは、１、３、５番目の作業項目２３ａに配置された丸印の白抜きシンボル２３ｂ１のシンボル情報をまとめ、チェック項目データとして図番（Ｌ４７８６）に対応させてチェック項目マスタＤＢ１１１に記憶させる。このため、チェック項目マスタＤＢ１１１には、改定後の図面に対応したチェック項目データが保持される。一方で、作業結果ＤＢ１１２のチェック結果データは工事番号に対応させて記憶されているため、図面の改定前の工事案件のチェック項目データは影響を受けない。
【００６０】
実施の形態３によれば、実施の形態１の効果に加え、図面の改定により一部の作業項目が削除された場合でも柔軟に対応することができる。
【００６１】
なお、上記実施の形態１から３において、シンボル情報の記憶部として、チェック項目マスタＤＢと作業結果ＤＢの２つのデータベースを用いているため、図面の改定に伴う作業項目の変更に対応して常に最新の作業指示を保持することと、工事案件ごとに作業完了のエビデンスを残すことを両立することができる。なお、チェック項目マスタＤＢと作業結果ＤＢのいずれか一方しか用いない場合でも、作業指示を構成するシンボルを作業者自身が編集でき、作業指示の変更が必要な場合でも、手待ち時間を発生させることなく組立作業に着手することが可能となり、作業効率の向上を図ることができる。
【００６２】
また、実施の形態１から３では、シンボル情報は組立作業図面上におけるシンボルの位置やサイズ、形状であったが、当該シンボルを追加した日時や追加した作業者の作業者ＩＤ、消込操作が行われた日時や消込操作を行った作業者の作業者ＩＤをシンボル情報に追加しても良い。
【００６３】
また、作業工程とシンボルの形状（丸、三角）を対応させたが、例えば、第１組立工程のシンボルは赤、第２組立工程のシンボルは青などのように、作業工程とシンボルの色を対応させてもよい。
【００６４】
実施の形態４．
次に、本発明の実施の形態４を図８から図１１に基づいて説明する。図８から図１１において、図１から図５と同一または相当部分については同一符号を付し、その説明を省略する。
組立作業支援システム２００は、図８に示すように組立作業支援サーバ２１０と、図面管理サーバ１２０と、組立作業支援端末１３０とを備えている。図面管理サーバ１２０および組立作業支援端末１３０は、それぞれイントラネットやインターネットなどのネットワークを介して組立作業支援サーバ２１０と接続されている。
【００６５】
ユーザである作業者が組立作業支援システム２００を起動し、実施の形態１から３と同様にしてログインを行うと、図９Ａに示すメイン画面３０が組立作業支援端末１３０の表示部１３３に表示される。メイン画面３０は、マスタ登録ボタン３１ａおよび終了ボタン３１ｂを有するツールバー部３１と、組立作業図面を表示する組立作業図面表示部３２と、組立作業図面表示部３２を拡大表示する組立作業図面拡大表示部３３と、ヘッダ部３４と、作業手順書表示部３５とを備えている。
【００６６】
組立作業図面表示部３２には、実施の形態１から３と同様に、ログイン時に入力した図番に対応する図面３２ａと、この図面３２ａに関連する全ての作業項目群３２ｂが表示される。組立作業図面拡大表示部３３には、組立作業図面表示部３２において指定された範囲を拡大表示するものであり、図９Ａおよび図９ＢではＢ部の作業項目群３２ｂが拡大表示されている。ヘッダ部３４には、ログイン時に入力した作業情報の工事番号および作業工程が表示されている。作業手順書表示部３５には、作業手順書３５ａが表示される。ここで、作業手順書とは、作業指示に係る作業内容の説明を補う目的で、作業項目３３ａの具体的な作業手順３５ｂが記載されたものである。作業手順３５ｂは、文章だけではなく写真や図等を含むことがある。また、作業手順３５ｂには、作業に伴う注意点が含まれることもある。また、作業手順書３５ａが大きく、一画面に収まらない場合、作業手順書表示部３５には、作業手順書３５ａの一部のみが作業手順書表示部３５に表示され、残りは非表示となる。作業手順書３５ａの表示箇所はスクロールバー３５ｃのノブ３５ｃ１の上下位置と対応している。例えば、ノブ３５ｃ１が上方に位置している図９Ａでは作業手順書の１ページ目と２ページ目が作業手順書表示部３５に表示され、ノブ３５ｃ１が下方に位置している図９Ｂでは３ページ目および４ページ目が作業手順書表示部３５に表示されている。作業者は、ノブ３５ｃ１の上下位置を調整することで作業手順書３５ａの所望の箇所を作業手順書表示部３５に表示させることができる。
【００６７】
組立作業図面拡大表示部３３には４つの作業項目３３ａが表示され、各作業項目３３ａには、リンク付きシンボル３３ｂ１、３３ｂ２、３３ｃ１、３３ｃ２が配置されている。リンク付きシンボルは、実施の形態１から３のシンボルのシンボル情報に加え、作業手順書３５ａの指定された領域を参照先とするリンク先情報を有しており、それぞれのリンク付きシンボルは、そのリンク先情報の参照先の領域をリンク先とするリンク機能を有している。また、リンク付きシンボルは、実施の形態１から３のシンボルと同様に、それぞれ作業工程に応じた形状で表示される。図９Ａおよび図９Ｂでは、リンク付きシンボル３３ｂ１、３３ｃ１のような丸印を持つシンボルが第１組立工程に対応し、リンク付きシンボル３３ｂ２、３３ｃ２のような三角印を持つシンボルが第２組立工程に対応している。また、消込状態が未消込のリンク付きシンボルは白抜きシンボルで表示され、消込状態が消込済のリンク付きシンボルは塗りシンボルで表示される。図９Ａおよび図９Ｂでは白抜きシンボル３３ｂ１、３３ｂ２が作業未完了を表し、塗りシンボル３３ｃ１が作業完了済を表している。リンク付きシンボルの消込操作については、実施の形態１から３のシンボルの消込操作と同様であるので、その説明を省略する。
【００６８】
組立作業支援サーバ２１０は、作業情報取込部２１３と、組立作業図面生成部２１４と、ユーザＩ／Ｆ部２１５と、チェック項目マスタＤＢ２１１と、作業結果ＤＢ２１２と、作業手順書のデータである作業手順書データを図面の図番に対応させて記憶する作業手順書データベース（以下、作業手順書ＤＢ２１６）とを備えている。チェック項目マスタＤＢ２１１および作業結果ＤＢ２１２は、実施の形態１から３のチェック項目マスタＤＢ１１１および作業結果ＤＢ１１２と同様に、それぞれチェック項目データおよびチェック結果データを記憶する。なお、本実施の形態において、チェック項目データには図面ごとにまとめられたリンク先情報も含まれており、チェック結果データには工事案件ごとにまとめられたリンク先情報が含まれている。作業情報取込部２１３は、実施の形態１から３の作業情報取込部１１３と同様であるので、その説明を省略する。
【００６９】
組立作業図面生成部２１４は、図面管理サーバ１２０から取得した図面データと、リンク付きシンボルのシンボル情報、消込状態、およびリンク先情報とを合成して、図面、図面と共に記載された作業項目、およびリンク付きシンボルを組み合わせた組立作業図面を生成する。さらに、作業手順書ＤＢ２１６から取得した作業手順書データを組み合わせて、組立作業図面に作業手順書を結合する。
【００７０】
ユーザＩ／Ｆ部２１５は、組立作業図面操作部２１５ａと、マスタ登録部２１５ｂと、作業結果登録部２１５ｃとを備えている。組立作業図面操作部２１５ａは、実施の形態１から３の組立作業図面操作部１１５ａと同様に組立作業支援端末１３０からの要求に基づいて組立作業図面上のリンク付きシンボルの追加や消込を行って組立作業図面を更新する。
【００７１】
リンク付きシンボルが追加された場合、組立作業図面操作部２１５ａは、リンク付きシンボル追加時において作業手順書表示部３５に表示されている領域を参照先とするリンク先情報をリンク付きシンボルに付加し、リンクを形成する。リンク付きシンボルが消込された場合、組立作業図面操作部２１５ａは、リンク付きシンボル消込時において作業手順書表示部３５に表示されている領域を参照先とするように消込されたリンク付きシンボルのリンク先情報を更新してリンクを再形成する。
【００７２】
マスタ登録部２１５ｂおよび作業結果登録部２１５ｃは、実施の形態１から３のマスタ登録部１１５ｂおよび作業結果登録部１１５ｃと同様であるので、その説明を省略する。
【００７３】
次に、リンク付きシンボルのリンク機能について、図１０に基づいて説明する。
作業者がいずれかのリンク付きシンボルを選択すると（ＳＴ９１１）、組立作業図面操作部２１５ａは、選択されたリンク付きシンボルのリンク先情報を取得する（ＳＴ９１２）。次に、取得したリンク先情報の参照先の領域に対応するスクロールバー３５ｃのノブ３５ｃ１の上下位置を取得する（ＳＴ９１３）。作業手順書３５ａの表示領域をＳＴ９１２で取得したリンク先情報の参照先の領域に更新するとともにノブ３５ｃ１の上下位置を更新し（ＳＴ９１４）、作業手順書表示部３５が更新されたメイン画面３０を表示部１３３に表示する（ＳＴ９１５）。例えば、図９Ａにおいて４番目の作業項目３３ａに配置されたリンク付きシンボル３３ｂ２のリンク先情報が作業手順書の４ページ目を参照先とする場合、４番目の作業項目３３ａに配置されたリンク付きシンボル３３ｂ２を選択すると、メイン画面３０は図９Ｂに示すように更新され、作業手順書表示部３５に作業手順書３５ａの４ページ目が表示される。
【００７４】
次に、図１１に基づいて動作について説明する。ＳＴ０１、ＳＴ０２のログイン操作からＳＴ０３の権限付与までは実施の形態１から３と同様であるので、その説明を省略する。
【００７５】
組立作業図面生成部２１４は、図面管理サーバ１２０に対して作業情報の図番に対応する図面データをリクエストし、図面データを取得するとともに、作業手順書ＤＢ２１６に作業情報の図番に対応する作業手順書データをリクエストし、作業手順書データを取得する（ＳＴ０４１）。
【００７６】
組立作業図面生成部２１４は、実施の形態１から３の組立作業図面生成部１１４と同様にチェック結果データの有無をチェックし（ＳＴ０５）、作業結果ＤＢ２１２に作業情報の工事番号に対応するチェック結果データがある場合はＳＴ０６へ、無い場合はＳＴ０８へ進む。対応するチェック結果データがある場合は、作業結果ＤＢ２１２にリクエストしてチェック結果データを取得し（ＳＴ０６）、無い場合はチェック項目マスタＤＢ２１１に対して作業情報の図番に対応するチェック項目データがあるかチェックする（ＳＴ０８）。チェック項目マスタＤＢ２１１に作業情報の図番に対応するチェック結果データがある場合はＳＴ０９へ、無い場合はＳＴ１０２へ進む。対応するチェック項目データがある場合は、チェック項目マスタＤＢ２１１にリクエストしてチェック項目データを取得する（ＳＴ０９）。
【００７７】
ＳＴ０５からＳＴ０６に進んだ場合、組立作業図面生成部２１４は、ＳＴ０４１で取得した図面データおよびこの図面データに含まれる作業項目と、ＳＴ０６で取得したチェック結果データが持つシンボル情報、シンボルの消込状態、およびシンボルのリンク先情報と、ＳＴ０４１で取得した作業手順書データとを合成し、作業手順書が結合された組立作業図面を生成する（ＳＴ０７１）。組立作業図面の生成においては、実施の形態１から３のＳＴ０７と同様にチェック結果データが持つシンボル情報およびシンボルの消込状態に対応する表示態様のリンク付きシンボルを、シンボル情報の位置情報に従って配置する。また、組立作業図面生成部２１４は、それぞれのリンク付きシンボルのリンク先情報の参照先の領域をリンク先とするリンク機能をそれぞれのリンク付きシンボルに付加し、リンクを形成する。組立作業図面の生成後、ＳＴ１１へ進む。
【００７８】
ＳＴ０５からＳＴ０８、ＳＴ０９に進んだ場合、組立作業図面生成部２１４は、ＳＴ０４１で取得した図面データおよびこの図面データに含まれる作業項目と、ＳＴ０９で取得したチェック項目データが持つシンボル情報と、ＳＴ０４１で取得した作業手順書データとを合成し、作業手順書が結合された組立作業図面を生成する（ＳＴ１０１）。組立作業図面の生成においては、実施の形態１から３のＳＴ１０と同様に、チェック項目データが持つシンボル情報に対応する表示態様のリンク付きシンボルを、シンボル情報の位置情報に従って配置する。また、組立作業図面生成部２１４は、それぞれのリンク付きシンボルのリンク先情報の参照先の領域をリンク先とするリンク機能をそれぞれのリンク付きシンボルに付加し、リンクを形成する。組立作業図面の生成後、ＳＴ１１へ進む。
【００７９】
ＳＴ０５からＳＴ０８、ＳＴ１０２に進んだ場合、組立作業図面生成部２１４は、ＳＴ０４１で取得した図面データおよびこの図面データに含まれる作業項目と、作業手順書データとを合成して作業手順書が結合された組立作業図面を生成する（ＳＴ１０２）。組立作業図面の生成後、ＳＴ１１へ進む。
【００８０】
組立作業図面生成部２１４は、作業手順書が結合された組立作業図面よりメイン画面３０を作成し、組立作業支援端末１３０の送受信部１３１に送信する。送受信部１３１は受信したメイン画面３を表示部１３３に送り、表示部１３３はメイン画面３０を表示する。また、組立作業図面生成部２１４は、作業手順書が結合された組立作業図面、作業情報、権限情報をユーザＩ／Ｆ部２１５へ送る（ＳＴ１１）。
【００８１】
続いて、作業者は、実施中の作業項目３３ａの作業手順３５ｂが作業手順書表示部３５に表示されるように作業手順書３５ａの表示領域を調整しながら実際の作業を行うとともに、組立作業図面に対する操作入力を行う（ＳＴ１２１）。本実施の形態では、シンボル情報の編集操作の例として、リンク付きシンボルの追加操作を行う。この場合、操作入力は、リンク付きシンボルの追加操作、リンク付きシンボルの消込操作、マスタ登録操作および終了操作である。各操作入力の方法については、実施の形態１の場合と同様であるので、その説明を省略する。
【００８２】
送受信部１３１は、実施の形態１と同様に入力部１３２が受け付けた各操作入力を取得して、操作入力の内容に応じた操作要求をユーザＩ／Ｆ部２１５に送信する。
【００８３】
ユーザＩ／Ｆ部２１５は、実施の形態１と同様に、送受信部１３１から受信した操作要求から作業者の操作入力がリンク付きシンボルの追加操作であるかを判定して（ＳＴ１３）、リンク付きシンボルの追加操作であると判定した場合はＳＴ１４へ進む。リンク付きシンボルの追加操作ではないと判定した場合はＳＴ１５へ進む。
【００８４】
ＳＴ１３でユーザＩ／Ｆ部２１５が操作入力をリンク付きシンボルの追加操作と判定した場合、組立作業図面操作部２１５ａは、実施の形態１と同様にリンク付きシンボルの追加操作を行った作業者が、作業情報の作業工程に対応するリンク付きシンボルを追加する権限を有しているかをチェックする。リンク付きシンボルを追加する権限を有していない場合は、リンク付きシンボルを追加する権限が無い旨を示すエラーメッセージを返し、リンク付きシンボルの追加は行わない。リンク付きシンボルを追加する権限を有している場合は、指定された位置にリンク付きシンボルを追加するように組立作業図面表示部３２の組立作業図面を構成するシンボル情報を更新し、更新後のシンボル情報に基づいて、リンク付きシンボルが追加された組立作業図面を生成する（ＳＴ１４１）。追加されたリンク付きシンボルは、実施の形態１のシンボルと同様に作業情報の作業工程に対応し、消込状態は未消込である。例えば、図９Ａの場合、作業情報の作業工程が第１組立工程であるので、丸印の白抜きシンボル３３ｂ１を指定された位置に配置する。
【００８５】
また、組立作業図面操作部２１５ａは、リンク付きシンボル追加時において作業手順書表示部３５に表示されている領域を参照先とするリンク先情報を、追加されたリンク付きシンボルに付加し、リンクを形成する。
【００８６】
ユーザＩ／Ｆ部１１５は、実施の形態１と同様に、送受信部１３１から受信した操作要求から作業者の操作入力がリンク付きシンボルの消込操作であるかを判定して（ＳＴ１５）、リンク付きシンボルの消込操作であると判定した場合はＳＴ１６１へ進む。リンク付きシンボルの消込操作でないと判定した場合はＳＴ１７へ進む。
【００８７】
ＳＴ１５でユーザＩ／Ｆ部２１５が操作入力をリンク付きシンボルの消込操作と判定した場合、組立作業図面操作部２１５ａは、実施の形態１と同様に消込の対象となったリンク付きシンボルが対応する作業工程と、ＳＴ１１で組立作業図面生成部２１４から取得した作業情報の作業工程とが一致するかをチェックする。一致しない場合は作業工程が異なる旨を示すエラーメッセージを返し、シンボルの消込は行わない。一致する場合は、指定されたリンク付きシンボルの消込状態を未消込から消込済に更新し、更新後の消込状態に基づいて消込操作が行われたリンク付きシンボルの表示が白抜きシンボルから塗りシンボルに変更された組立作業図面を生成する（ＳＴ１６１）。
【００８８】
また、組立作業図面操作部２１５ａは、消込されたリンク付きシンボルのリンク先情報がリンク付きシンボル消込時において作業手順書表示部３５に表示されている領域を参照先とするように消込されたリンク付きシンボルのリンク先情報を更新してリンクを再形成する。図９Ａの場合、作業情報の作業工程が第１組立工程であるので、丸印の白抜きリンク付きシンボル３３ｂ１に対して消込操作が行われると、指定された丸印の白抜きリンク付きシンボル３３ｂ１を丸印の塗りリンク付きシンボル３３ｃ１に変更するとともに、このリンク付きシンボルのリンク先が１ページ目に更新される。三角印の白抜きシンボル２３ｂ２に対して消込操作が行われた場合、指定されたシンボルが対応する作業工程は作業情報の作業工程と異なるため、シンボル情報および消込状態の更新を行わずにエラーメッセージを返す。
【００８９】
ユーザＩ／Ｆ部２１５は、実施の形態１と同様に送受信部１３１から受信した操作要求から作業者の操作入力がマスタ登録操作であるかを判定して（ＳＴ１７）、マスタ登録操作であると判定した場合はＳＴ１８へ進む。マスタ登録操作でないと判定した場合はＳＴ１９へ進む。
【００９０】
ＳＴ１７でユーザＩ／Ｆ部２１５が操作入力をマスタ登録操作と判定した場合、マスタ登録部２１５ｂは実施の形態１と同様に、メイン画面３０に表示されているリンク付きシンボルのうち、作業情報の作業工程に対応する全てのリンク付きシンボルについて、それぞれのリンク付きシンボルのシンボル情報およびリンク先情報をチェック項目データとしてまとめ、チェック項目マスタＤＢ２１１に記憶させる（ＳＴ１８）。図９Ａの場合、作業情報の作業工程が第１組立工程であるので、丸印のリンク付きシンボル３３ｃ１、３３ｂ１のシンボル情報およびリンク先情報をチェック項目データとしてまとめ、チェック項目マスタＤＢ２１１に記憶させる。
【００９１】
ユーザＩ／Ｆ部２１５は、実施の形態１と同様に送受信部１３１から受信した操作要求から作業者の操作入力が終了操作であるかを判定して（ＳＴ１９）、終了操作であると判定した場合はＳＴ２０へ進む。終了操作ではないと判定した場合はＳＴ１２へ戻る。
【００９２】
ＳＴ１９でユーザＩ／Ｆ部２１５が操作入力を終了操作と判定した場合、作業結果登録部２１５ｃは実施の形態１と同様に、メイン画面３０に表示されているリンク付きシンボルのうち、作業情報の作業工程に対応する全てのリンク付きシンボルについて、それぞれのリンク付きシンボルのシンボル情報、消込状態およびリンク先情報をチェック結果データとしてまとめ、作業情報の工事番号の工事案件に対応させて作業結果ＤＢ２１２に記憶させる（ＳＴ２０）。図９Ａの場合、作業情報の作業工程が第１組立工程であるので、丸印のリンク付きシンボル３３ｃ１、３３ｂ１のシンボル情報、消込状態およびリンク先情報をチェック結果データとしてまとめ、作業結果ＤＢ２１２に記憶させる。
組立作業支援システム２００は、作業結果登録部２１５ｃがチェック結果データを作業結果ＤＢ２１２に記憶させた後、システムの終了処理を行う。
【００９３】
実施の形態４によれば、実施の形態１と同様の効果を得ることができる。
【００９４】
また、メイン画面において組立作業図面とともに作業手順書を表示するので、作業項目の具体的な作業手順や注意点を組立作業図面と同時に確認することができ、組立作業に慣れていない作業者でも容易に組立作業を行うことができる。また、注意点を確認しながら作業を行うことが可能となり、ミスを減らすことができる。
【００９５】
また、それぞれのリンク付きシンボルは、作業手順書中の指定された領域を参照先とするリンク先情報を有し、組立作業図面操作部は、指定されたリンク付きシンボルのリンク先情報の参照先の領域を表示領域として表示させるので、作業者は実施中の作業項目に配置されたリンク付きシンボルを指定するのみで関連する作業手順を表示させることができる。このため、マウス操作等により作業手順書全体から所望の作業手順の記載箇所を探し出す必要がなく、作業効率向上を図ることができる。
【００９６】
また、作業者自身の入力操作により、リンク付きシンボル情報の編集、消込と同時にリンクの形成を行うことができるため、作業指示の変更が必要な場合でも手待ち時間を発生させることなく組立作業に着手することが可能となり、作業効率の向上を図ることができる。
【００９７】
なお、実施の形態４ではリンク付きシンボルの消込操作時に消込操作の対象となったリンク付きシンボルのリンク先情報を更新してリンクを再形成したが、消込時におけるリンク先情報の更新およびリンクの再形成を行わず、消込前後で同じリンク先情報を保持してもよい。
【００９８】
また、実施の形態２および３に実施の形態４のリンク付きシンボルを適用してもよい。実施の形態２にリンク付きシンボルを適用した場合において、指定したリンク付きシンボルが対応する作業工程を変更する場合でも、リンク付きシンボルのリンク先情報は保持されるため、対応する作業工程を変更されたリンク付きシンボルのリンク先は変わらず、リンクの再形成を行う必要はない。
【００９９】
また、実施の形態１から３のシンボルのシンボル情報と実施の形態４のリンク付きシンボルの違いはリンク先情報の有無のみであるので、実施の形態４においてシンボルとリンク付きシンボルが混在していてもよい。シンボルとリンク付きシンボルとでシンボル情報を分ける必要はなく、リンク先情報の有無によってシンボルとリンク付きシンボルとを区別すればよい。
【０１００】
実施の形態５．
次に、本発明の実施の形態５を図１２に基づいて説明する。図１２において、図５、図９Ａおよび図９Ｂと同一または相当部分については同一符号を付し、その説明を省略する。図１２は、メイン画面３０のうち、組立作業図面拡大表示部３３のみを示している。
本実施の形態では、組立作業図面操作部２１５ａが、指定されたシンボルをリンク付きシンボルに変更し、リンク機能を付加する機能を有している。入力部１３２がシンボルのリンク形成操作を受け付けると、送受信部１３１は、入力部１３２からリンク形成操作の操作入力を取得し、シンボル情報の編集要求、ここではリンク形成要求をユーザＩ／Ｆ部２１５に送信する。作業図面付き組立作業図面操作部２１５ａは、ユーザＩ／Ｆ部２１５が受信したリンク形成要求に基づいて指定されたシンボルにリンク先情報を付加し、リンクを形成する。
以下に、シンボルをリンク付きシンボルに変更する場合について説明する。
【０１０１】
実施の形態５では、図１２に示すように各作業項目にシンボルが配置された状態のチェック項目データが予めチェック項目マスタＤＢ２１１に記憶された状態で、作業現場において作業手順書へのリンクを設定する必要が生じたことを前提としている。
【０１０２】
まず、第１の作業者が組立作業支援システム２００にログインすると、組立作業図面生成部２１４は、作業情報に基づいて組立作業図面を生成し、メイン画面３０の組立作業図面拡大表示部３３には、図１２（ａ）に示すように表示される。第１の作業者は、１番目の作業項目３３ａに配置された丸印の白抜きシンボル２３ｂ１を指定し、このシンボルをリンク付きシンボルに変更するリンク形成操作を行う。リンク形成操作を受けた組立作業図面操作部２１５ａは、リンク形成操作時において作業手順書表示部３５に表示されている領域を参照先とするリンク先情報を指定されたシンボルに付加する。そして、１番目の作業項目３３ａに配置されている丸印の白抜きシンボル２３ｂ１を、図１２（ｂ）に示すようにリンク付きシンボル３３ｂ１に変更し、リンクを形成する。
リンクを形成する。以降の操作は実施の形態４と同様であるので、その説明を省略する。
【０１０３】
なお、本実施の形態ではリンク先情報を有しないシンボルにリンク先情報を付加してリンク付きシンボルに変更する場合について説明しているが、既にリンク先情報を有しているリンク付きシンボルのリンク先を変更または削除する場合は、対象のリンク付きシンボルのリンク先情報を変更または削除すればよい。
【０１０４】
実施の形態５によれば、実施の形態４の効果に加え、指定したシンボルに対するリンク機能の付加、リンク付きシンボルのリンク先の変更、削除を行うことができるので、作業現場でリンク設定もしくはリンク先の変更を行う必要が生じた場合でも迅速に対応することができる。
【符号の説明】
【０１０５】
２２ａ、３２ａ  図面、２３ａ、３３ａ  作業項目、２３ｂ１、２３ｂ２、２３ｃ１、２３ｃ２、  シンボル、３３ｂ１、３３ｂ２、３３ｃ１  リンク付きシンボル、３５ａ  作業手順書、３５ｂ  作業手順、１００、２００  組立作業支援システム、１１０、２１０  組立作業支援サーバ、１１１、２１１  チェック項目マスタＤＢ、１１２、２１２  作業結果ＤＢ、１１３、２１３  作業情報取込部、１１４、２１４  組立作業図面生成部、１１５、２１５  ユーザＩ／Ｆ部、１１５ａ、２１５ａ  組立作業図面操作部、１１５ｂ、２１５ｂ  マスタ登録部、１１５ｃ，２１５ｃ  作業結果登録部、２１６  作業手順書ＤＢ、１２０  図面管理サーバ、１２１  図面ＤＢ、１３０  組立作業支援端末、１３１  送受信部、１３２  入力部、１３３  表示部。
【図１】
2016201101.tif 000003
【図２】
2016201101.tif 000004
【図３】
2016201101.tif 000005
【図４】
2016201101.tif 000006
【図５】
2016201101.tif 000007
【図６】
2016201101.tif 000008
【図７】
2016201101.tif 000009
【図８】
2016201101.tif 000010
【図９Ａ】
2016201101.tif 000011
【図９Ｂ】
2016201101.tif 000012
【図１０】
2016201101.tif 000013
【図１１】
2016201101.tif 000014
【図１２】
2016201101.tif 000015